(57)【要約】【課題】  ＩＣチップを用いた管理を不要にし、また、ネットワークを使用しない状況下でも、周辺機器などの管理を可能にする機器管理装置、機器管理方法および機器管理プログラムを提供する。【解決手段】  コンピュータ本体１１に接続されているＵＳＢメモリ２Ａ、２ＢとＵＳＢマウス２Ｃから読み取ったシリアル番号を用いて、これらの機器を管理する機器管理装置であって、ＵＳＢメモリ２Ａ、２ＢとＵＳＢマウス２Ｃのシリアル番号を識別情報として記憶する記憶部１１Ｂと、コンピュータ本体１１に接続されているＵＳＢメモリ２Ａ、２ＢとＵＳＢマウス２Ｃのシリアル番号を読み取り、読み取ったシリアル番号と、記憶部１１Ｂに記憶されているシリアル番号とを比較して、記憶部１１Ｂに記憶されている周辺機器であってコンピュータ本体１１に接続されていない周辺機器の有無を管理する処理部１１Ａとを備える。【選択図】  図１
2009053905.tif 000002
【特許請求の範囲】
【請求項１】
コンピュータ本体に接続されている周辺機器から読み取ったシリアル番号を用いて、該周辺機器を管理する機器管理装置であって、
前記周辺機器のシリアル番号を識別情報として記憶する記憶手段と、
前記コンピュータ本体に接続されている周辺機器のシリアル番号を読み取り、読み取ったシリアル番号と、前記記憶手段に記憶されているシリアル番号とを比較して、該記憶手段に記憶されている周辺機器であって該コンピュータ本体に接続されていない周辺機器の有無を管理する処理手段と、
を備えることを特徴とする機器管理装置。
【請求項２】
前記処理手段は、前記記憶手段に記憶されている周辺機器であって前記コンピュータ本体に接続されていない周辺機器があると、周辺機器の不足を表すメッセージを出力することを特徴とする請求項１に記載の機器管理装置。
【請求項３】
コンピュータ本体に接続されている周辺機器から読み取ったシリアル番号を用いて、該周辺機器を管理する機器管理方法であって、
前記周辺機器のシリアル番号を識別情報として記憶し、
前記コンピュータ本体に接続されている周辺機器のシリアル番号を読み取り、
読み取ったシリアル番号と、あらかじめ記憶しているシリアル番号とを比較し、
比較結果を基にして、あらかじめ記憶されている周辺機器であって前記コンピュータ本体に接続されていない周辺機器の有無を管理する、
ことを特徴とする機器管理方法。
【請求項４】
コンピュータ本体に接続されている周辺機器から読み取ったシリアル番号を用いて、該周辺機器を管理する機器管理プログラムであって、
前記周辺機器のシリアル番号を識別情報として記憶する処理と、
前記コンピュータ本体に接続されている周辺機器のシリアル番号を読み取る処理と、
読み取ったシリアル番号と、あらかじめ記憶しているシリアル番号とを比較する処理と、
比較結果を基にして、あらかじめ記憶されている周辺機器であって前記コンピュータ本体に接続されていない周辺機器の有無を管理する処理と、
をコンピュータに実行させるための機器管理プログラム。
【請求項５】
コンピュータ本体に接続されている周辺機器から読み取ったシリアル番号を用いて、該周辺機器を管理する機器管理装置であって、
前記周辺機器のシリアル番号を識別情報として記憶する記憶手段と、
前記コンピュータ本体に接続されている周辺機器のシリアル番号を読み取り、読み取ったシリアル番号と、前記記憶手段に記憶されているシリアル番号とを比較して、該記憶手段に記憶されていない周辺機器であって該コンピュータ本体に接続されている周辺機器の有無を検出する処理手段と、
を備えることを特徴とする機器管理装置。
【請求項６】
前記処理手段は、前記記憶手段に記憶されていない周辺機器であって前記コンピュータ本体に接続されている周辺機器があると、該コンピュータ本体を使用不可の状態にすることを特徴とする請求項５に記載の機器管理装置。
【請求項７】
コンピュータ本体に接続されている周辺機器から読み取ったシリアル番号を用いて、該周辺機器を管理する機器管理方法であって、
前記周辺機器のシリアル番号を識別情報として記憶し、
前記コンピュータ本体に接続されている周辺機器のシリアル番号を読み取り、
読み取ったシリアル番号と、あらかじめ記憶しているシリアル番号とを比較し、
比較結果を基にして、あらかじめ記憶されていない周辺機器であって前記コンピュータ本体に接続されている周辺機器の有無を検出する、
ことを特徴とする機器管理方法。
【請求項８】
コンピュータ本体に接続されている周辺機器から読み取ったシリアル番号を用いて、該周辺機器を管理する機器管理プログラムであって、
前記周辺機器のシリアル番号を識別情報として記憶する処理と、
前記コンピュータ本体に接続されている周辺機器のシリアル番号を読み取る処理と、
読み取ったシリアル番号と、あらかじめ記憶しているシリアル番号とを比較する処理と、
比較結果を基にして、あらかじめ記憶されていない周辺機器であって前記コンピュータ本体に接続されている周辺機器の有無を検出する処理と、
をコンピュータに実行させるための機器管理プログラム。
【請求項９】
コンピュータ本体に接続されている周辺機器から読み取ったシリアル番号を用いて、該周辺機器の棚卸しをする機器管理装置であって、
前記周辺機器のシリアル番号を識別情報として記憶する記憶手段と、
前記コンピュータ本体に接続されている周辺機器のシリアル番号を読み取り、読み取ったシリアル番号と、前記記憶手段に記憶されているシリアル番号とを比較して、棚卸しデータを作成する処理手段と、
を備えることを特徴とする機器管理装置。
【請求項１０】
前記記憶手段は、前記コンピュータ本体のシリアル番号を識別情報として記憶し、
前記処理手段は、前記コンピュータ本体のシリアル番号と、前記記憶手段に記憶されているコンピュータ本体のシリアル番号とを比較し、比較結果を棚卸しデータに加えること、
を特徴とする請求項９に記載の機器管理装置。
【発明の詳細な説明】
【技術分野】
【０００１】
この発明は、コンピュータの本体や、この本体に接続されて用いられる各種の周辺機器を管理する機器管理装置、機器管理方法および機器管理プログラムに関する。
【背景技術】
【０００２】
コンピュータは各組織体でも広く用いられている。組織体として例えば企業では、ノートパソコンなどのパーソナルコンピュータが各社員に貸与されて用いられる。さらに、パーソナルコンピュータのコンピュータ本体に付属しているマウスやキーボードのような周辺機器の他に、社員の要求に応じてコンピュータ本体に接続されて用いられる、各種の周辺機器も貸与される。こうした周辺機器として、例えば外部記憶装置などがある。企業では、社員に貸与したコンピュータ本体や各種の周辺機器の有無を、社員に対して定期的に問い合わせて、パーソナルコンピュータを管理している。一方、企業では、貸与したパーソナルコンピュータから機器を外して別のパーソナルコンピュータに用いるというような、機器の不正な使用が生じる場合がある。こうした機器の不正使用を防ぐための管理もある。企業はその構成員である社員の数も多いので、コンピュータを用いて、パーソナルコンピュータの管理（例えば、特許文献１参照。）や不正使用の管理（例えば、特許文献２参照。）を行う場合がある。
【０００３】
コンピュータを用いたパーソナルコンピュータの管理では、識別情報を記録したＩＣ（Ｉｎｔｅｇｒａｔｅｄ  Ｃｉｒｃｕｉｔ）チップをコンピュータ本体に貼り付けている。ＩＣチップから識別情報をリーダが読み取り、リーダの読み取った識別情報を機器管理サーバが無線で受信する。そして、機器管理サーバは、受信した識別情報を用いて、パーソナルコンピュータを管理している。
【０００４】
一方、コンピュータを用いた不正使用の管理では、機器に固有のＭＡＣアドレス（Ｍｅｄｉａ  Ａｃｃｅｓｓ  Ｃｏｎｔｒｏｌ  ａｄｄｒｅｓｓ）を用いている。そして、機器がパーソナルコンピュータから外された場合に、ＭＡＣアドレスを用い、ネットワークを経て、外された機器を使用不可にすると共にこの機器を追跡する。
【特許文献１】特開２００５−２６７４２８号公報
【特許文献２】特開２００５−３４６３９６号公報
【発明の開示】
【発明が解決しようとする課題】
【０００５】
ところで、従来のパーソナルコンピュータの管理には次の課題がある。この管理方法によれば、コンピュータ本体の管理は、当初、本体に貼り付けられたＩＣチップを用いて行うが、後日、追加された外部記憶装置などの機器を管理するためには、別のＩＣチップに識別情報を記録し、このＩＣチップを追加機器に貼り付ける必要があり、煩雑な作業を必要とする。
【０００６】
一方、不正使用の管理では、ネットワークを利用することにより、ＭＡＣアドレスを用いて不正使用を調べるので、ネットワークを使用しない状況下では、こうした不正使用の管理方法を、周辺機器などを管理するために活用することができない。
【０００７】
この発明の目的は、前記の課題を解決し、ＩＣチップを用いた管理を不要にし、また、ネットワークを使用しない状況下でも、周辺機器などの管理を可能にする機器管理装置、機器管理方法および機器管理プログラムを提供することにある。
【課題を解決するための手段】
【０００８】
前記の課題を解決するために、請求項１の発明は、コンピュータ本体に接続されている周辺機器から読み取ったシリアル番号を用いて、該周辺機器を管理する機器管理装置であって、前記周辺機器のシリアル番号を識別情報として記憶する記憶手段と、前記コンピュータ本体に接続されている周辺機器のシリアル番号を読み取り、読み取ったシリアル番号と、前記記憶手段に記憶されているシリアル番号とを比較して、該記憶手段に記憶されている周辺機器であって該コンピュータ本体に接続されていない周辺機器の有無を管理する処理手段とを備えることを特徴とする機器管理装置である。
【０００９】
請求項１の発明では、周辺機器の製造者があらかじめ機器に記録したシリアル番号を識別情報として用いている。つまり、記憶手段が周辺機器のシリアル番号を記憶している。そして、処理手段は、記憶手段のシリアル番号を用いて、周辺機器の管理を行う。
【００１０】
請求項２の発明は、請求項１に記載の機器管理装置において、前記処理手段は、前記記憶手段に記憶されている周辺機器であって前記コンピュータ本体に接続されていない周辺機器があると、周辺機器の不足を表すメッセージを出力することを特徴とする。
【００１１】
請求項３の発明は、コンピュータ本体に接続されている周辺機器から読み取ったシリアル番号を用いて、該周辺機器を管理する機器管理方法であって、前記周辺機器のシリアル番号を識別情報として記憶し、前記コンピュータ本体に接続されている周辺機器のシリアル番号を読み取り、読み取ったシリアル番号と、あらかじめ記憶しているシリアル番号とを比較し、比較結果を基にして、あらかじめ記憶されている周辺機器であって前記コンピュータ本体に接続されていない周辺機器の有無を管理することを特徴とする機器管理方法である。
【００１２】
請求項４の発明は、コンピュータ本体に接続されている周辺機器から読み取ったシリアル番号を用いて、該周辺機器を管理する機器管理プログラムであって、前記周辺機器のシリアル番号を識別情報として記憶する処理と、前記コンピュータ本体に接続されている周辺機器のシリアル番号を読み取る処理と、読み取ったシリアル番号と、あらかじめ記憶しているシリアル番号とを比較する処理と、比較結果を基にして、あらかじめ記憶されている周辺機器であって前記コンピュータ本体に接続されていない周辺機器の有無を管理する処理とをコンピュータに実行させるための機器管理プログラムである。
【００１３】
請求項５の発明は、コンピュータ本体に接続されている周辺機器から読み取ったシリアル番号を用いて、該周辺機器を管理する機器管理装置であって、前記周辺機器のシリアル番号を識別情報として記憶する記憶手段と、前記コンピュータ本体に接続されている周辺機器のシリアル番号を読み取り、読み取ったシリアル番号と、前記記憶手段に記憶されているシリアル番号とを比較して、該記憶手段に記憶されていない周辺機器であって該コンピュータ本体に接続されている周辺機器の有無を検出する処理手段とを備えることを特徴とする機器管理装置である。
【００１４】
請求項５の発明では、周辺機器の製造者があらかじめ機器に記録したシリアル番号を識別情報として用いている。つまり、記憶手段が周辺機器のシリアル番号を記憶している。そして、処理手段は、記憶手段のシリアル番号を用いて、周辺機器が不正にコンピュータ本体に接続されているかどうかの管理を行う。
【００１５】
請求項６の発明は、請求項５に記載の機器管理装置において、前記処理手段は、前記記憶手段に記憶されていない周辺機器であって前記コンピュータ本体に接続されている周辺機器があると、該コンピュータ本体を使用不可の状態にすることを特徴とする。
【００１６】
請求項７の発明は、コンピュータ本体に接続されている周辺機器から読み取ったシリアル番号を用いて、該周辺機器を管理する機器管理方法であって、前記周辺機器のシリアル番号を識別情報として記憶し、前記コンピュータ本体に接続されている周辺機器のシリアル番号を読み取り、読み取ったシリアル番号と、あらかじめ記憶しているシリアル番号とを比較し、比較結果を基にして、あらかじめ記憶されていない周辺機器であって前記コンピュータ本体に接続されている周辺機器の有無を検出することを特徴とする機器管理方法である。
【００１７】
請求項８の発明は、コンピュータ本体に接続されている周辺機器から読み取ったシリアル番号を用いて、該周辺機器を管理する機器管理プログラムであって、前記周辺機器のシリアル番号を識別情報として記憶する処理と、前記コンピュータ本体に接続されている周辺機器のシリアル番号を読み取る処理と、読み取ったシリアル番号と、あらかじめ記憶しているシリアル番号とを比較する処理と、比較結果を基にして、あらかじめ記憶されていない周辺機器であって前記コンピュータ本体に接続されている周辺機器の有無を検出する処理とをコンピュータに実行させるための機器管理プログラムである。
【００１８】
請求項９の発明は、コンピュータ本体に接続されている周辺機器から読み取ったシリアル番号を用いて、該周辺機器の棚卸しをする機器管理装置であって、前記周辺機器のシリアル番号を識別情報として記憶する記憶手段と、前記コンピュータ本体に接続されている周辺機器のシリアル番号を読み取り、読み取ったシリアル番号と、前記記憶手段に記憶されているシリアル番号とを比較して、棚卸しデータを作成する処理手段とを備えることを特徴とする機器管理装置である。
【００１９】
請求項９の発明では、周辺機器の製造者があらかじめ機器に記録したシリアル番号を識別情報として用いている。つまり、記憶手段が周辺機器のシリアル番号を記憶している。そして、処理手段は、記憶手段のシリアル番号を用いて、棚卸しデータを作成する。
【００２０】
請求項１０の発明は、請求項９に記載の機器管理装置において、前記記憶手段は、前記コンピュータ本体のシリアル番号を識別情報として記憶し、前記処理手段は、前記コンピュータ本体のシリアル番号と、前記記憶手段に記憶されているコンピュータ本体のシリアル番号とを比較し、比較結果を棚卸しデータに加えることを特徴とする。
【発明の効果】
【００２１】
請求項１、請求項３および請求項４の発明によれば、シリアル番号を識別情報として用いることにより、コンピュータ本体に接続されるべき周辺機器の有無を管理することができる。また、この発明によれば、周辺機器のシリアル番号を識別情報として用いるので、従来のようにＩＣチップを用いた管理を不要にし、また、ネットワークを使用しない状況下でも、コンピュータ本体に接続されるべき周辺機器の有無を管理することができる。
【００２２】
請求項２の発明によれば、あらかじめ記憶手段に記憶されている周辺機器、つまり、あらかじめ登録されている周辺機器であってコンピュータ本体に接続されていない周辺機器があると、周辺機器の不足を表すメッセージを出力するので、コンピュータ本体の使用者に対して注意を促し、周辺機器の紛失を防ぎ、また、周辺機器を紛失した場合でも、紛失した機器の早期発見を可能にする。
【００２３】
請求項５、請求項７および請求項８の発明によれば、シリアル番号を識別情報として用いることにより、あらかじめ登録されていない周辺機器がコンピュータ本体に接続されているかどうかの、不正な接続を検出するので、コンピュータ本体用として登録されていない周辺機器の接続の有無を管理することができる。また、この発明によれば、周辺機器のシリアル番号を識別情報として用いるので、従来のようにＩＣチップを用いた管理を不要にし、ネットワークを使用しない状況下でも、コンピュータ本体用として登録されていない周辺機器の接続の有無を管理することができる。
【００２４】
請求項６の発明によれば、コンピュータ本体用として登録されていない周辺機器が接続されると、コンピュータ本体を使用不可にするので、コンピュータ本体のセキュリティを高めることができる。
【００２５】
請求項９の発明によれば、コンピュータ本体用として登録されている周辺機器については、これらの機器のシリアル番号を用いることにより、棚卸しデータを自動で作成することができる。
【００２６】
請求項１０の発明によれば、周辺機器と共にコンピュータ本体を含む棚卸しデータを自動で作成することができる。
【発明を実施するための最良の形態】
【００２７】
次に、この発明の実施の形態について、図面を用いて詳しく説明する。以下の実施の形態では、組織体が企業であり、この組織体の構成員である社員に貸与されたパーソナルコンピュータと、このパーソナルコンピュータに接続されて用いられる各種の周辺機器を管理する場合を例として説明する。
【００２８】
（実施の形態１）
この実施の形態による機器管理装置は、社員のパーソナルコンピュータ自体である。図１に示すように、このパーソナルコンピュータ１は、コンピュータ本体１１、周辺機器としてディスプレイ１２およびキーボード１３を備えている。さらに、コンピュータ本体１１には、ＵＳＢ（Ｕｎｉｖｅｒｓａｌ  Ｓｅｒｉａｌ  Ｂｕｓ）メモリ２Ａ、２ＢとＵＳＢマウス２Ｃが接続されて用いられる。つまり、ＵＳＢメモリ２Ａ、２ＢとＵＳＢマウス２Ｃは、パーソナルコンピュータ１と共に社員に貸与されたＵＳＢの周辺機器（以下、「ＵＳＢ機器」という）である。
【００２９】
ＵＳＢ機器は一般に図２に示すような構造である。図２のＵＳＢ機器２は、機器本体２１とＵＳＢコントローラ２２とＵＳＢプラグ２３を備えている。機器本体２１は、ＵＳＢ機器２としての機能を持つ部分である。ＵＳＢコントローラ２２は、ＵＳＢ規格により機器本体２１とコンピュータ本体１１とを接続する。また、ＵＳＢコントローラ２２は、記憶領域（図示を省略）を備え、ＵＳＢ機器２を製造した製造者のＩＤ（ＩＤｅｎｔｉｆｉｃａｔｉｏｎ）番号やシリアル番号が記録されている。このＩＤ番号やシリアル番号はコンピュータ本体１１からの読み取りが可能である。シリアル番号は、周辺機器によって異なるので、この実施の形態では、ＵＳＢコントローラ２２に記録されているシリアル番号を、ＵＳＢ機器２の識別情報として利用している。ＵＳＢプラグ２３は、ＵＳＢ機器２をコンピュータ本体１１に接続するためのものである。ＵＳＢプラグ２３は、ＵＳＢコントローラ２２に対して、ケーブルを介在して、または、機器本体２１やＵＳＢコントローラ２２が実装されている基板に直接接続されている。
【００３０】
この実施の形態では、ＵＳＢ機器２がＵＳＢメモリ２Ａ、２ＢとＵＳＢマウス２Ｃである。ＵＳＢメモリ２Ａ、２Ｂは、コンピュータ本体１１に差し込まれて用いられる携帯用の記憶装置である。ＵＳＢメモリ２Ａ、２Ｂは、先に述べた機器本体２１に該当するメモリ本体２Ａ１、２Ｂ１と、ＵＳＢコントローラ２Ａ２、２Ｂ２を備えている。メモリ本体２Ａ１、２Ｂ１は、メモリとしての機能を持つ部分であり、データの読み書きが自由なフラッシュメモリを内蔵している。ＵＳＢコントローラ２Ａ２、２Ｂ２は、メモリ本体２Ａ１、２Ｂ１とコンピュータ本体１１とをＵＳＢ規格によるシリアルバスで接続するための制御を行う。これにより、コンピュータ本体１１とメモリ本体２Ａ１、２Ｂ１との間でデータの送受信が行われる。また、ＵＳＢコントローラ２Ａ２、２Ｂ２には、ＵＳＢメモリ２を製造した製造者のＩＤ番号やシリアル番号が記録されている。
【００３１】
ＵＳＢマウス２Ｃは、コンピュータ本体１１に接続されて用いられる入力装置である。ＵＳＢマウス２Ｃは、先に述べた機器本体２１に該当するマウス本体２Ｃ１と、ＵＳＢコントローラ２Ｃ２を備えている。ＵＳＢコントローラ２Ｃ２には、ＵＳＢマウス２Ｃを製造した製造者のＩＤ番号やシリアル番号が記録されている。
【００３２】
パーソナルコンピュータ１は、企業での業務を行うために社員に用いられる。パーソナルコンピュータ１は、コンピュータ本体１１と、表示装置であるディスプレイ１２と、入力装置であるキーボード１３とを備え、コンピュータ本体１１は、処理部１１Ａ、記憶部１１Ｂ、表示制御部１１Ｃ、通信部１１Ｄ、入出力インターフェース１１ＥおよびＵＳＢインターフェース１１Ｆを備えている。表示制御部１１Ｃにはディスプレイ１２が接続され、表示制御部１１Ｃは、処理部１１Ａの制御によって、画像を表示するための画像信号を生成してディスプレイ１２に送る。通信部１１Ｄは、処理部１１Ａの制御によって、外部のネットワークとデータの送受信を行うインターフェースである。
【００３３】
ＵＳＢインターフェース１１Ｆは、ＵＳＢ機器２のＵＳＢコントローラ２２と共にＵＳＢ規格によるシリアルバスで、ＵＳＢ機器２の機器本体２１を処理部１１Ａに接続するための制御を行う。ＵＳＢインターフェース１１Ｆは、ＵＳＢポート１１Ｆ１〜１１Ｆ３を備え、ＵＳＢ機器２のＵＳＢプラグ２３が差し込まれて、ＵＳＢ機器２がコンピュータ本体１１に接続される。この実施の形態では、ＵＳＢ機器２として、ＵＳＢメモリ２Ａ、２ＢとＵＳＢマウス２Ｃが接続される。
【００３４】
また、ＵＳＢインターフェース１１Ｆは、ＵＳＢ機器２が接続されたかどうかを検出する。ＵＳＢインターフェース１１Ｆは、２本の信号線と２本の電源線とから成る４本の線でＵＳＢ機器２と接続されている。ＵＳＢ機器２が接続されると、ＵＳＢインターフェース１１Ｆは、ＵＳＢ機器２に対して電源を供給するが、例えばこの時に流れる電流の大小を基にして、ＵＳＢ機器２が接続されたかどうかを検出する。そして、ＵＳＢインターフェース１１Ｆは検出結果を処理部１１Ａに送る。
【００３５】
入出力インターフェース１１Ｅは、キーボード１３のような周辺機器を処理部１１Ａに接続するためのインターフェースである。入出力インターフェース１１Ｅは入出力ポート１１Ｅ１を備え、この実施の形態では、入出力ポート１１Ｅ１にキーボード１３が接続されている。入出力インターフェース１１Ｅは、キーボード１３が接続されたかどうかを、ＵＳＢインターフェース１１Ｆと同じようにして検出する。
【００３６】
記憶部１１Ｂは、各種のデータを記憶する記憶装置である。また、記憶部１１Ｂは、パーソナルコンピュータ１に必要とするプログラムをあらかじめ記憶している。
【００３７】
記憶部１１Ｂが記憶するデータには、入出力インターフェース１１Ｅの入出力ポート１１Ｅ１に接続されている周辺機器や、ＵＳＢインターフェース１１ＦのＵＳＢポート１１Ｆ１〜１１Ｆ３に接続されているＵＳＢ機器２を管理するための通常用管理データがある。通常用管理データは、パーソナルコンピュータ１の使用者が、コンピュータ本体１１に着脱して通常使用する周辺機器やＵＳＢ機器２のデータを記録したものである。なお、この実施の形態では、キーボード１３は常時接続の状態にあるので管理対象外とし、日常的に着脱して使用されるＵＳＢメモリ２Ａ、２ＢとＵＳＢマウス２Ｃを管理対象としているが、もちろん、キーボード１３を管理対象としてもよい。なお、入出力インターフェース１１Ｅに接続されている周辺機器については、この周辺機器からシリアル番号を読み取ることが可能なときに管理対象となる。
【００３８】
通常用管理データの一例を図３に示す。図３の通常用管理データには、先に述べたように、パーソナルコンピュータ１と共に貸与されたＵＳＢ機器２として、ＵＳＢメモリ２Ａ、２ＢとＵＳＢマウス２Ｃを特定するための識別情報が記録されている。通常用管理データには、ＵＳＢ機器２の製造者がメーカ名の欄に記録され、機器の名称が機器名の欄に記録されている。通常用管理データには、機器の製造者によって付けられた固有の番号がシリアル番号の欄に記録されている。ＵＳＢ機器２に付けられているシリアル番号は、先に述べたように、ＵＳＢ機器２を識別するための識別情報である。通常用管理データには、これらの機器名やシリアル番号などの他にも、必要に応じてデータが記録されている。
【００３９】
処理部１１Ａは、記憶部１１Ｂに記憶されているプログラムを実行する。処理部１１Ａが実行するプログラムには機器管理を行うものがあり、この機器管理の中に付属品管理処理がある。処理部１１Ａは、付属品管理処理により、パーソナルコンピュータ１の使用者が、コンピュータ本体１１に着脱して日常的に使用する周辺機器やＵＳＢ機器２を管理する。
【００４０】
処理部１１Ａは付属品管理処理を次のようにして行う。付属品管理処理は、電源投入時などのように、あらかじめ設定されたタイミングで行われる。付属品管理処理を開始すると、処理部１１Ａは、図４に示すように、入出力インターフェース１１ＥとＵＳＢインターフェース１１Ｆとを制御して、入出力インターフェース１１Ｅの入出力ポート１１Ｅ１に接続されている周辺機器（以下、「接続機器」という）と、ＵＳＢインターフェース１１ＦのＵＳＢポート１１Ｆ１〜１１Ｆ３に接続されているＵＳＢ機器２（以下、同じく「接続機器」という）とを検出する（ステップＳ１）。
【００４１】
ステップＳ１が終了すると、処理部１１Ａは、記憶部１１Ｂから通常用管理データ（図３）を読み出す（ステップＳ２）。この後、処理部１１Ａは、ステップＳ１の検出結果と、ステップＳ２で読み出した通常用管理データ（図３）とを比較し（ステップＳ３）、入出力インターフェース１１Ｅに接続されていない周辺機器（以下、「未接続機器」という）と、ＵＳＢインターフェース１１Ｆに接続されていないＵＳＢ機器２（以下、同じく「未接続機器」という）の有無を判断する（ステップＳ４）。つまり、処理部１１Ａは、コンピュータ本体１１に接続されていない機器であって、あらかじめ通常使用の機器として登録されている機器の有無を判断する。
【００４２】
ステップＳ４で未接続機器が有ると、処理部１１Ａは、未接続機器の一覧を表すリストと、未接続機器が有ることを表すメッセージとを作成する（ステップＳ５）。この後、処理部１１Ａは、ステップＳ５で作成したリストとメッセージを、表示制御部１１Ｃを制御してディスプレイ１２に表示し（ステップＳ６）、付属品管理処理を終了する。
【００４３】
一方、ステップＳ４で未接続機器が無ければ、処理部１１Ａは、未接続機器が無いことを表すメッセージを作成する（ステップＳ７）。この後、処理部１１Ａは、ステップＳ７で作成したメッセージを、表示制御部１１Ｃを制御してディスプレイ１２に表示し（ステップＳ８）、付属品管理処理を終了する。
【００４４】
次に、この実施の形態によるパーソナルコンピュータ１を用いた機器管理方法について説明する。社員が企業の管理担当者からパーソナルコンピュータ１と、ＵＳＢ機器２としてＵＳＢメモリ２Ａ、２ＢおよびＵＳＢマウス２Ｃとを貸与されると、社員は、パーソナルコンピュータ１とこれらの周辺機器を用いて日常の業務を行う。管理担当者は、社員が日常の業務を行うためにコンピュータ本体１１に着脱して使用する機器として、ＵＳＢメモリ２Ａ、２ＢとＵＳＢマウス２Ｃを通常用管理データ（図３）に記録する。また、この実施の形態では、パーソナルコンピュータ１が起動して所定時間が経過すると、付属品管理処理のプログラムが動作するようにコンピュータ本体１１が設定されている。
【００４５】
こうした状態で、社員がパーソナルコンピュータ１を使用すると、電源投入から所定時間の経過後に、付属品管理処理のプログラムが起動し、付属品管理処理を実行する。そして、コンピュータ本体１１に対して未接続機器が無ければ、コンピュータ本体１１は、未接続機器が無いことを表すメッセージをディスプレイ１２に表示する。一方、未接続機器が有ると、パーソナルコンピュータ１は、未接続機器が有ることを表すメッセージと、未接続機器のリストをディスプレイ１２に表示する。これにより、社員に対して注意を促している。
【００４６】
こうして、この実施の形態により、シリアル番号を識別情報として付属品管理処理のプログラムを実行するので、コンピュータ本体１１に着脱して日常的に使用する周辺機器の紛失を防ぎ、紛失した機器の早期発見を可能にする。また、従来使用したＩＣチップを用いないで周辺機器を管理するので、ＩＣチップに識別情報を書き込み、このＩＣチップを周辺機器に貼り付けるといった、煩雑な作業を不要にすることができる。さらに、シリアル番号を識別情報として用いるので、ネットワークを使用しない状況下でも、周辺機器の管理を行うことができる。
【００４７】
（実施の形態２）
この実施の形態では、処理部１１Ａは、機器管理として不正な接続を監視する不正接続処理を行う。なお、この実施の形態では、先の実施の形態と同一もしくは同一と見なされる構成要素には、それと同じ参照符号を付けて、その説明を省略する。処理部１１Ａは、不正接続処理を開始すると、図５に示すように、入出力インターフェース１１ＥとＵＳＢインターフェース１１Ｆとを制御して、入出力インターフェース１１Ｅの入出力ポート１１Ｅ１に接続されている周辺機器と、ＵＳＢインターフェース１１ＦのＵＳＢポート１１Ｆ１〜１１Ｆ３に接続されているＵＳＢ機器２とを検出する（ステップＳ２１）。
【００４８】
ステップＳ２１が終了すると、処理部１１Ａは、記憶部１１Ｂから通常用管理データ（図３）を読み出す（ステップＳ２２）。この後、処理部１１Ａは、ステップＳ２１の検出結果と、ステップＳ２２で読み出した通常用管理データ（図３）とを比較し（ステップＳ２３）、通常用管理データ（図３）に登録されていない周辺機器およびＵＳＢ機器（以下、「未登録機器」という）の有無を判断する（ステップＳ２４）。つまり、ステップＳ２４で処理部１１Ａは、未登録機器の接続を不正な接続（以下、「不正接続」という）と判断する。
【００４９】
ステップＳ２４で未登録機器が有ると、処理部１１Ａは、不正接続であることを表すメッセージを作成する（ステップＳ２５）。この後、処理部１１Ａは、ステップＳ２５で作成したメッセージを、表示制御部１１Ｃを制御してディスプレイ１２に表示し（ステップＳ２６）、パーソナルコンピュータ１をロックして使用不可の状態にし（ステップＳ２７）、不正接続処理を終了する。
【００５０】
また、ステップＳ２４で未接続機器が無ければ、処理部１１Ａは、コンピュータ本体１１に対する電源投入の状態が継続しているかどうかを判断する（ステップＳ２８）。電源投入状態が継続していると、処理部１１Ａは、処理をステップＳ２１に戻し、電源投入状態が終了すると判断すると、不正接続処理を終了する。
【００５１】
次に、この実施の形態によるパーソナルコンピュータ１を用いた機器管理について説明する。社員が企業の管理担当者からパーソナルコンピュータ１と、ＵＳＢ機器２としてＵＳＢメモリ２Ａ、２ＢおよびＵＳＢマウス２Ｃとを貸与されると、社員は、パーソナルコンピュータ１とこれらの機器を用いて日常の業務を行う。管理担当者は、社員が日常の業務を行うために、コンピュータ本体１１に着脱して使用する機器として、ＵＳＢメモリ２Ａ、２ＢとＵＳＢマウス２Ｃを通常用管理データ（図３）に記録する。また、この実施の形態では、コンピュータ本体１１に対して電源が投入されると、不正接続処理のプログラムが起動するように、コンピュータ本体１１が設定されている。
【００５２】
こうした状態で、社員がパーソナルコンピュータ１を使用すると、コンピュータ本体１１が不正接続処理を実行する。そして、コンピュータ本体１１に対して不正接続が無ければ、コンピュータ本体１１の電源が切られるまで、不正接続処理を継続する。もし、未登録機器がコンピュータ本体１１に接続されると、コンピュータ本体１１は不正接続処理によりロックし、コンピュータ本体１１を使用不可にする。
【００５３】
こうして、この実施の形態によれば、不正接続処理により、あらかじめ通常用管理データ（図３）に登録されていない周辺機器やＵＳＢ機器２がコンピュータ本体１１に使用されることを、未然に防ぐことができる。また、未登録機器がコンピュータ本体１１に接続されると、コンピュータ本体１１がロックするので、コンピュータ本体１１のセキュリティを高めることができる。
【００５４】
（実施の形態３）
この実施の形態では、処理部１１Ａは、機器管理として棚卸しを行うための棚卸し処理をする。なお、この実施の形態では、先の実施の形態と同一もしくは同一と見なされる構成要素には、それと同じ参照符号を付けて、その説明を省略する。棚卸し処理を行うために、記憶部１１Ｂは棚卸し用管理データを記憶している。棚卸し用管理データは、パーソナルコンピュータ１に属する周辺機器やＵＳＢ機器２を記録したものである。この実施の形態では、パーソナルコンピュータ１に属する管理対象はキーボード１３、ＵＳＢメモリ２Ａ、２ＢおよびＵＳＢマウス２Ｃである。なお、入出力インターフェース１１Ｅの入出力ポート１１Ｅ１に周辺機器が接続されている場合には、この周辺機器からシリアル番号を読み出すことが可能なときに管理対象となる。
【００５５】
棚卸し用管理データの一例を図６に示す。図６の棚卸し用管理データには、先に述べたように、管理対象として、キーボード１３、ＵＳＢメモリ２Ａ、２ＢおよびＵＳＢマウス２Ｃを特定するための識別情報が記録されている。つまり、棚卸し用管理データには、周辺機器およびＵＳＢ機器２の製造者がメーカ名の欄に記録され、機器の名称が機器名の欄に記録されている。棚卸し用管理データには、機器の製造者によって付けられた固有の番号がシリアル番号の欄に記録されている。このシリアル番号が識別情報である。通常用管理データには、これらの機器名やシリアル番号などの他にも、必要に応じてデータが記録されている。
【００５６】
処理部１１Ａは棚卸し処理を次のようにして行う。処理部１１Ａは、図７に示すように、周辺機器やＵＳＢ機器２が記録されていない、初期状態の棚卸しリストを作成する（ステップＳ４１）。ステップＳ４１が終了すると、処理部１１Ａは、入出力インターフェース１１ＥとＵＳＢインターフェース１１Ｆとを制御して、入出力インターフェース１１Ｅの入出力ポート１１Ｅ１に接続されている周辺機器と、ＵＳＢインターフェース１１ＦのＵＳＢポート１１Ｆ１〜１１Ｆ３に接続されているＵＳＢ機器２とを検出する（ステップＳ４２）。そして、処理部１１Ａは、棚卸しリストに記録されていない新たな接続機器があるかどうかを判断する（ステップＳ４３）。新たな接続機器があると、処理部１１Ａは、棚卸しリストにこの機器を記録する（ステップＳ４４）。これにより、新たな接続機器が棚卸しリストに追加される。
【００５７】
ステップＳ４４が終了するか、または、ステップＳ４３で新たな接続機器が無いと、処理部１１Ａは、入出力インターフェース１１Ｅを経由してキーボード１３から、処理終了の指示があるかどうかを判断する（ステップＳ４５）。棚卸し終了の指示があると、処理部１１Ａは、棚卸し用管理データ（図６）を記憶部１１Ｂから読み出す（ステップＳ４６）。この後、処理部１１Ａは、ステップＳ４２〜Ｓ４４で更新した棚卸しリストと、ステップＳ４６で読み出した棚卸し用管理データ（図６）とを比較し（ステップＳ４７）、棚卸し用管理データ（図６）に記録されている機器であって、棚卸しリストに記録されていない機器（以下、「不明機器」という）の有無を判断する（ステップＳ４８）。
【００５８】
ステップＳ４８で不明機器が無いと、処理部１１Ａは、棚卸しの終了を表すメッセージを作成する（ステップＳ４９）。この後、処理部１１Ａは、ステップＳ４９で作成したメッセージを表示し、棚卸しリストを棚卸しデータとして出力して（ステップＳ５０）、棚卸し処理を終了する。なお、棚卸しデータの出力により、パーソナルコンピュータ１から棚卸しデータが取り出し可能な状態にされるか、あらかじめ決められた別のコンピュータなどに通信部１１Ｄを経て送信される。
【００５９】
一方、ステップＳ４８で不明機器があると、コンピュータ本体１１は、接続が確認された機器のリストと、不明機器のリストと、不明機器が有ることを表すメッセージとを作成する（ステップＳ５１）。この後、処理部１１Ａは、ステップＳ５１で作成したメッセージを表示すると共に、作成した各リストを棚卸しデータとして出力して（ステップＳ５２）、棚卸し処理を終了する。
【００６０】
次に、この実施の形態によるパーソナルコンピュータ１を用いた機器管理方法について説明する。社員が企業の管理担当者からパーソナルコンピュータ１と、ＵＳＢ機器２としてＵＳＢメモリ２Ａ、２ＢおよびＵＳＢマウス２Ｃとを貸与されると、社員は、パーソナルコンピュータ１とこれらの機器を用いて日常の業務を行う。やがて、棚卸しの当日になると、社員は、ＵＳＢマウス２Ｃを操作してクリックし、棚卸しの指示をコンピュータ本体１１に入力すると、コンピュータ本体１１は棚卸し処理のプログラムを起動する。これにより、コンピュータ本体１１は、棚卸し処理を実行する。そして、不明機器が無ければ、コンピュータ本体１１は、不明機器が無いことを表すメッセージをディスプレイ１２に表示し、棚卸しリストを棚卸しデータとして出力する。一方、不明機器が有ると、コンピュータ本体１１は、不明機器が有ることを表すメッセージをディスプレイ１２に表示すると共に、接続が確認された機器のリストおよび不明機器のリストを棚卸しデータとして出力する。
【００６１】
こうして、この実施の形態により、棚卸しの際には、パーソナルコンピュータ１に対して棚卸しの指示を入力するだけで、各社員が使用するパーソナルコンピュータ１に関する棚卸しデータを作成することができる。
【００６２】
（実施の形態４）
この実施の形態では、棚卸し処理を以下のようにしている。なお、この実施の形態では、先の実施の形態と同一もしくは同一と見なされる構成要素には、それと同じ参照符号を付けて、その説明を省略する。この実施の形態では、企業の資産として、パーソナルコンピュータ１に属するすべての周辺機器やＵＳＢ機器２、つまり、キーボード１３、ＵＳＢメモリ２Ａ、２ＢおよびＵＳＢマウス２Ｃを棚卸し用管理データ（図６）に記録する。また、コンピュータ本体１１とディスプレイ１２も棚卸し用管理データ（図６）に記録する。
【００６３】
こうした状態で棚卸しを行うと、コンピュータ本体１１は、棚卸し処理のステップＳ４２において接続機器を検出すると共に、コンピュータ本体１１およびディスプレイ１２のシリアル番号を検出する。この結果、棚卸しリストには、周辺機器およびＵＳＢ機器２と共にコンピュータ本体１１およびディスプレイ１２も記録される。
【００６４】
こうして、この実施の形態によれば、パーソナルコンピュータ１の付属品およびコンピュータ本体１１を含めて、パーソナルコンピュータ１について一括した棚卸しを可能にする。
【００６５】
（実施の形態５）
この実施の形態では棚卸し処理を以下のようにしている。なお、この実施の形態では、先の実施の形態と同一もしくは同一と見なされる構成要素には、それと同じ参照符号を付けて、その説明を省略する。コンピュータ本体１１の処理部１１Ａは、棚卸し処理を次のようにして行う。処理部１１Ａは、図８および図９に示すように、あらかじめ処理部１１Ａに備えられているカレンダー機能を利用してカレンダーを参照し（ステップＳ６１）、指定期間以内かどうかを判断する（ステップＳ６２）。指定期間は、棚卸し当日以前の期間であって、あらかじめ設定された期間である。つまり、ステップＳ６２により、棚卸し当日以前から棚卸しの準備を始めることになる。なお、ステップＳ６２で指定期間外であると、処理部１１Ａは棚卸し処理を終了する。
【００６６】
ステップＳ６２が終了すると、処理部１１Ａは、記憶部１１Ｂに記憶されているデータ（以下、「記憶データ」という）を参照し（ステップＳ６３）、記憶データに棚卸しリストが含まれているかどうかを判断する（ステップＳ６４）。棚卸しリストが無ければ、処理部１１Ａは、周辺機器やＵＳＢ機器２が記録されていない、初期の棚卸しリストを作成する（ステップＳ６５）。また、既に棚卸しリストが記憶データにあると、処理部１１Ａは、記憶部１１Ｂの記憶データから棚卸しリストを読み出す（ステップＳ６６）。
【００６７】
ステップＳ６５またはステップＳ６６が終了すると、処理部１１Ａは、入出力インターフェース１１ＥとＵＳＢインターフェース１１Ｆを制御して、入出力インターフェース１１Ｅの入出力ポート１１Ｅ１に接続されている周辺機器と、ＵＳＢインターフェース１１ＦのＵＳＢポート１１Ｆ１〜１１Ｆ３に接続されているＵＳＢ機器２とを検出する（ステップＳ６７）。そして、処理部１１Ａは、棚卸しリストに記録されていない新たな接続機器があるかどうかを判断する（ステップＳ６８）。新たな接続機器があると、処理部１１Ａは、この機器を棚卸しリストに記録する（ステップＳ６９）。これにより、新たな接続機器が棚卸しリストに追加される。
【００６８】
ステップＳ６９が終了するか、または、ステップＳ６８で新たな接続機器が無いと、処理部１１Ａは、入出力インターフェース１１Ｅを経由してキーボード１３から、処理終了の指示があるかどうかを判断する（ステップＳ７０）。棚卸し終了の指示があると、処理部１１Ａは、前述のカレンダーを参照し（ステップＳ７１）、本日が棚卸し当日であるかどうかを判断する（ステップＳ７２）。棚卸し当日でなければ、処理部１１Ａは、棚卸しリストを記憶部１１Ｂの記憶データに保存して（ステップＳ７３）、棚卸し処理を終了する。
【００６９】
一方、ステップＳ７２で棚卸し当日であると、処理部１１Ａは、記憶部１１Ｂの記憶データから棚卸し用管理データ（図６）を読み出す（ステップＳ７４）。この後、処理部１１Ａは、ステップＳ６７〜Ｓ６９で更新した棚卸しリストと、ステップＳ７４で読み出した棚卸し用管理データ（図６）とを比較し（ステップＳ７５）、棚卸し用管理データ（図６）に記録されている機器であって、棚卸しリストに記録されていない機器つまり不明機器の有無を判断する（ステップＳ７６）。
【００７０】
ステップＳ７６で不明機器が無いと、処理部１１Ａは、棚卸しの終了を表すメッセージを作成する（ステップＳ７７）。この後、処理部１１Ａは、ステップＳ７７で作成したメッセージをディスプレイ１２に表示し、棚卸しリストを棚卸しデータとして出力して（ステップＳ７８）、棚卸し処理を終了する。
【００７１】
一方、ステップＳ７６で不明機器があると、コンピュータ本体１１は、接続が確認された機器のリストと、不明機器のリストと、不明機器が有ることを表すメッセージとを作成する（ステップＳ７９）。この後、処理部１１Ａは、ステップＳ７９で作成したメッセージをディスプレイ１２に表示すると共に、作成した各リストを棚卸しデータとして出力し（ステップＳ８０）、棚卸し処理を終了する。
【００７２】
この実施の形態では、パーソナルコンピュータ１の電源投入時に、コンピュータ本体１１が棚卸し処理のプログラムを起動するように設定すれば、棚卸し当日以前の所定期間内に、コンピュータ本体１１に接続された周辺機器やＵＳＢ機器２を、接続した順に棚卸しリストに記録していく。
【００７３】
こうして、この実施の形態によれば、棚卸し当日に、すべての周辺機器およびＵＳＢ機器２をコンピュータ本体１１に社員が接続する作業を不要にし、日常の業務を行いながら、棚卸しデータを自動で作成することができる。
【００７４】
（実施の形態６）
この実施の形態による機器管理システムを図１０に示す。なお、この実施の形態では、先の実施の形態と同一もしくは同一と見なされる構成要素には、それと同じ参照符号を付けて、その説明を省略する。図１０の機器管理システムは、機器管理として棚卸しを行うものであり、パーソナルコンピュータ１と共に管理サーバ３を備えている。パーソナルコンピュータ１と管理サーバ３とは、社内ＬＡＮ（Ｌｏｃａｌ  Ａｒｅａ  Ｎｅｔｗｏｒｋ）１００によりデータの送受信が可能である。なお、企業内では、パーソナルコンピュータが多数使用されているが、これらはパーソナルコンピュータ１と同じであり、また、図面の複雑化を避けるために、これらの記載を省略している。
【００７５】
この実施の形態による処理部１１Ａは、図１１に示す棚卸し処理を行う。つまり、処理部１１Ａは、管理サーバ３から棚卸しの指示を、社内ＬＡＮ１００を経由して通信部１１Ｄから受け取ると（ステップＳ１０１）、周辺機器やＵＳＢ機器２が記録されていない、初期の棚卸しリストを作成する（ステップＳ１０２）。ステップＳ１０２が終了すると、処理部１１Ａは、入出力インターフェース１１ＥとＵＳＢインターフェース１１Ｆを制御して、入出力インターフェース１１Ｅの入出力ポート１１Ｅ１に接続されている周辺機器と、ＵＳＢインターフェース１１ＦのＵＳＢポート１１Ｆ１〜１１Ｆ３に接続されているＵＳＢ機器２とを検出する（ステップＳ１０３）。そして、処理部１１Ａは、棚卸しリストに記録されていない新たな接続機器があるかどうかを判断する（ステップＳ１０４）。新たな接続機器があると、処理部１１Ａは、棚卸しリストにこの機器を記録する（ステップＳ１０５）。これにより、新たな接続機器が棚卸しリストに追加される。
【００７６】
ステップＳ１０５が終了するか、または、ステップＳ１０４で新たな接続機器が無いと、処理部１１Ａは、入出力インターフェース１１Ｅを経由してキーボード１３から、処理終了の指示があるかどうかを判断する（ステップＳ１０６）。棚卸し終了の指示が無ければ、処理部１１Ａは、処理をステップＳ１０３に戻し、棚卸し終了の指示が有ると、作成した棚卸しリストを棚卸しデータとして管理サーバ３に送信する（ステップＳ１０７）。この後、管理サーバ３から照合結果を受信すると（ステップＳ１０８）、処理部１１Ａは、ディスプレイ１２に照合結果を表示して（ステップＳ１０９）、棚卸し処理を終了する。
【００７７】
管理サーバ３は、社内ＬＡＮ１００を経由して、コンピュータ本体１１の通信部１１Ｄとデータの送受信が可能である。また、管理サーバ３は、データを記憶するデータベース３Ａを備え、データベース３Ａに棚卸し用管理データを記憶している。この実施の形態では、棚卸し用管理データとして図６のものを用いる。
【００７８】
管理サーバ３は、棚卸しの当日になると照合処理を行う。つまり、管理サーバ３は、図１２に示すように、棚卸しの指示をパーソナルコンピュータ１に送信する（ステップＳ１２１）。この後、管理サーバ３は、パーソナルコンピュータ１から棚卸しデータを受信すると（ステップＳ１２２）、データベース３Ａから棚卸し用管理データ（図６）を読み出す（ステップＳ１２３）。この後、管理サーバ３は、ステップＳ１２２で受信した棚卸しデータの内容である棚卸しリストと、ステップＳ１２３で読み出した棚卸し用管理データ（図６）とを比較し（ステップＳ１２４）、棚卸し用管理データ（図６）に記録されている機器であって、棚卸しデータに記録されていない機器つまり不明機器の有無を判断する（ステップＳ１２５）。
【００７９】
ステップＳ１２５で不明機器が無いと、管理サーバ３は、棚卸しデータをデータベース３Ａに保存し（ステップＳ１２６）、棚卸しの終了を表すメッセージを作成する（ステップＳ１２７）。この後、管理サーバ３は、ステップＳ１２７で作成したメッセージを照合結果としてパーソナルコンピュータ１に送信し（ステップＳ１２８）、照合処理を終了する。
【００８０】
一方、ステップＳ１２５で不明機器があると、管理サーバ３は、接続が確認された機器のリストと、不明機器のリストと、不明機器が有ることを表すメッセージとを作成する（ステップＳ１２９）。この後、管理サーバ３は、ステップＳ１２９で作成した各リストを棚卸しデータとし、この棚卸しデータとメッセージを照合結果としてパーソナルコンピュータ１に送信し（ステップＳ１３０）、照合処理を終了する。
【００８１】
次に、この実施の形態による機器管理システムを用いた機器管理方法について説明する。棚卸しの当日になると、管理サーバ３は、図１３に示すように、照合処理を行う。この照合処理により、管理サーバ３は棚卸しの指示をパーソナルコンピュータ１に送信する。これにより、パーソナルコンピュータ１は棚卸し処理を開始する。パーソナルコンピュータ１は棚卸し処理で棚卸しリストを作成すると、このリストを棚卸しデータとして管理サーバ３に送信する。
【００８２】
管理サーバ３は棚卸しデータを受信すると、照合処理により、受信した棚卸しデータの内容である棚卸しリスト中に不明機器があるかどうかを照合する。そして、不明機器がない場合には、棚卸しデータをデータベース３Ａに保存し、照合結果をパーソナルコンピュータ１に送信して照合処理を終了する。パーソナルコンピュータ１は、照合結果を受信すると、この照合結果をディスプレイ１２に表示して棚卸し処理を終了する。
【００８３】
一方、不明機器がある場合には、管理サーバ３は、接続が確認された機器のリストおよび不明機器のリストを棚卸しデータとし、この棚卸しデータと不明機器が有ることを表すメッセージを照合結果としてパーソナルコンピュータ１に送信する。パーソナルコンピュータ１は照合結果を受信すると、この照合結果を表示する。この後、管理サーバ３は、不明機器についてパーソナルコンピュータ１に対して問い合わせを行い、パーソナルコンピュータ１から応答を得る。この応答により、先に受信した棚卸しデータが最終のものであると、管理サーバ３は、接続が確認された機器のリストと、不明機器のリストを棚卸しデータとしてデータベース３Ａに記録する。また、棚卸しリストが最終のものでない場合、管理サーバ３は最新の棚卸しデータを待ち、再度、照合処理を行う。
【００８４】
こうして、この実施の形態により、管理サーバ３が各パーソナルコンピュータ１の棚卸し用管理データを管理すると共に、棚卸し時には、各パーソナルコンピュータ１の棚卸しデータを管理サーバ３が管理するので、管理サーバ３は、管理下にあるすべてのパーソナルコンピュータ１の棚卸しを一括して行うことができる。また、管理サーバ３が各パーソナルコンピュータ１の棚卸し用管理データを管理するので、パーソナルコンピュータ１の負担を軽くすることができる。
【００８５】
以上、この発明の実施の形態を詳述してきたが、具体的な構成は各実施の形態に限られるものではなく、この発明の要旨を逸脱しない範囲の設計の変更等があっても、この発明に含まれる。例えば、各実施の形態では、入出力インターフェース１１Ｅのポート数を１とし、ＵＳＢインターフェース１１Ｆのポート数を３としたが、もちろん、ポート数はこれらに限定されることはない。また、各実施の形態では、キーボード１３を入出力インターフェース１１Ｅに接続して用いたが、キーボード１３をＵＳＢ機器としてもよい。さらに、ＵＳＢ機器には、ＵＳＢメモリ２Ａ、２ＢやＵＳＢマウス２Ｃの他にも、もちろん、各種のものがあり、この発明に用いることが可能である。
【図面の簡単な説明】
【００８６】
【図１】この発明の実施の形態１による機器管理装置としてパーソナルコンピュータを示す構成図である。
【図２】実施の形態１によるＵＳＢ機器を説明するための構成図である。
【図３】実施の形態１による通常用管理データの一例を示す図である。
【図４】実施の形態１による付属品管理処理を表すフローチャートである。
【図５】実施の形態２による不正接続処理を表すフローチャートである。
【図６】実施の形態３による棚卸し用管理データの一例を示す図である。
【図７】実施の形態３による棚卸し処理を表すフローチャートである。
【図８】実施の形態５による棚卸し処理を表すフローチャートである。
【図９】実施の形態５による棚卸し処理を表すフローチャートである。
【図１０】実施の形態６による機器管理システムを示す構成図である。
【図１１】実施の形態６による棚卸し処理を表すフローチャートである。
【図１２】実施の形態６による照合処理を表すフローチャートである。
【図１３】実施の形態６による機器管理方法を表すシーケンス図である。
【符号の説明】
【００８７】
１  パーソナルコンピュータ
１１  コンピュータ本体
１１Ａ  処理部（処理手段）
１１Ｂ  記憶部（記憶手段）
１１Ｃ  表示制御部
１１Ｄ  通信部
１１Ｅ  入出力インターフェース
１１Ｆ  ＵＳＢインターフェース
１２  ディスプレイ（周辺機器）
１３  キーボード（周辺機器）
２Ａ、２Ｂ  ＵＳＢメモリ（周辺機器）
２Ｃ  ＵＳＢマウス（周辺機器）
３  管理サーバ
【図１】
2009053905.tif 000003
【図２】
2009053905.tif 000004
【図３】
2009053905.tif 000005
【図４】
2009053905.tif 000006
【図５】
2009053905.tif 000007
【図６】
2009053905.tif 000008
【図７】
2009053905.tif 000009
【図８】
2009053905.tif 000010
【図９】
2009053905.tif 000011
【図１０】
2009053905.tif 000012
【図１１】
2009053905.tif 000013
【図１２】
2009053905.tif 000014
【図１３】
2009053905.tif 000015